(57)【要約】【課題】  光強度の強い光を用いても、表示むらや輝度の低下を生じない良好な表示品質の投射画像が得られる反射型液晶表示素子を提供する。【解決手段】複数の反射画素電極８Ａが形成された基板８と、共通電極９Ａが形成された透明基板９と、複数の反射画素電極８Ａと共通電極９Ａとを互いに対向配置して貼り合わされた基板８と透明基板９との間に挿入された液晶層１０とを有する反射型液晶表示素子４において、透明基板９上には光透過部材１２が接着され、透明基板９及び光透過部材１２のそれぞれの線膨張係数をα、光弾性定数をＢ、厚さをｔ、Ｋ＝α×Ｂ×ｔとするとき、透明基板９と光透過部材１２のＫとが等しく、かつ逆極性の関係を有する。【選択図】      図１
2007293079.tif 000002
【特許請求の範囲】
【請求項１】
複数の反射画素電極が形成された基板と、共通電極が形成された透明基板と、前記複数の反射画素電極と前記共通電極とを互いに対向配置して貼り合わされた前記複数の反射画素電極が形成された基板と前記透明基板との間に挿入された液晶層とを有する反射型液晶表示素子において、
前記透明基板上には光透過部材が接着され、
前記透明基板及び前記光透過部材のそれぞれの線膨張係数をα、光弾性定数をＢ、厚さをｔとし、Ｋ＝α×Ｂ×ｔであるとき、
前記透明基板と前記光透過部材のＫとが等しく、かつ逆極性の関係を有することを特徴とする反射型液晶表示素子。
【請求項２】
前記光透過部材は、負の線膨張係数を有する結晶化ガラスであることを特徴とする請求項１記載の反射型液晶表示素子。
【発明の詳細な説明】
【技術分野】
【０００１】
本発明は、表示品質を向上させる反射型液晶表示素子に関するものである。
【背景技術】
【０００２】
液晶プロジェクタは、光源と、光源から出射された光を変調して光変調光を出射する液晶表示素子と、光源から出射される光と液晶表示素子で変調された光変調光とを分離して異なる方向に出射させる偏光ビームスプリッタと、偏光ビームスプリッタから出射される変調光をスクリーンに投射する投射レンズとから概略構成される。上記した液晶表示素子は、特許文献１に記載されている。
【０００３】
即ち、特許文献１に記載されている液晶表示素子は、透明なアクティブマトリクス基板と透明な対向基板との間に液晶が挿入され、更に透明な対向基板と反対側の透明なアクティブマトリクス基板には石英からなる第３透明基板、偏光シートが接着剤を介して順次接着され、光源から出射された光は、対向基板側から入射して、アクティブマトリクス基板側に透過するように構成されている。この際、光源から出射された光は、液晶位置でフォーカス状態になるようにしている。
このため、第３透明基板は、デフォーカス状態に置かれているので、第３透明基板に傷や塵が付いても、投射画像には映し出されないため良好な投射画像が得られる。特許文献１に記載されている液晶表示素子は、透過型であるが、反射型についても同様である。反射型の場合には、対向基板側から入射する光源からの光をアクティブマトリクス基板上に設けられた反射画素電極によって反射する構造を有している。以下では、液晶表示素子を反射型液晶表示素子に限定して説明する。
【特許文献１】特開平１１−２９５６８３号公報
【発明の開示】
【発明が解決しようとする課題】
【０００４】
ところで、液晶プロジェクタでは、明るい投射画像を得るために光強度の強い光が反射型液晶表示素子に照射される。このため、反射型液晶表示素子に用いられる対向基板の温度が上昇するので、いわゆる熱応力と呼ばれる内部応力が発生して対向基板を透過する光に複屈折が発生する。
複屈折が発生すると、この複屈折の位相差に起因してアクティブマトリクス基板の反射画素電極で反射される反射光の旋光特性が最適な条件からずれる。例えば、反射型液晶表示素子がノーマルブラックモード状態の場合には、黒表示の輝度レベルが高くなる方向にずれてしまい、コントラストが低下して良好な品質の投射画像を得ることができないといった問題を生じる。
【０００５】
この対策として、温度上昇に伴う複屈折を予め予測しておき、発生した複屈折を補償する位相差補償板を対向基板側に配置することが考えられたが、複屈折の程度は、反射型液晶表示素子の使用継続時間や外気温度との兼ね合いで種々変化するので完全な位相差補償ができず、むしろ時間的に表示特性がばらつくこともあった。
【０００６】
更に、反射型液晶表示素子及びこれを含めた周辺部分を強制空冷装置を用いて冷却することが考えられた。
しかし、強制空冷装置から冷却風を送風すると、空気の摩擦等に起因して塵埃が帯電し、反射型液晶表示素子や偏光ビームスプリッタの表面などに付着するといった別の問題を生じた。そして、一旦付着した塵埃を取り払うことは困難であり、表示むらや輝度の低下といった問題を生じていた。
【０００７】
そこで、本発明は、上記問題を解決するべく、光強度の強い光を用いても、表示むらや輝度の低下を生じない良好な表示品質の投射画像が得られる反射型液晶表示素子を提供することを目的とするものである。
【課題を解決するための手段】
【０００８】
上記目的を達成するための手段として、本願発明における第１の発明は、複数の反射画素電極が形成された基板と、共通電極が形成された透明基板と、前記複数の反射画素電極と前記共通電極とを互いに対向配置して貼り合わされた前記複数の反射画素電極が形成された基板と前記透明基板との間に挿入された液晶層とを有する反射型液晶表示素子において、前記透明基板上には光透過部材が接着され、前記透明基板及び前記光透過部材のそれぞれの線膨張係数をα、光弾性定数をＢ、厚さをｔとし、Ｋ＝α×Ｂ×ｔであるとき、前記透明基板と前記光透過部材のＫとが等しく、かつ逆極性の関係を有することを特徴とする反射型液晶表示素子を提供する。
第２の発明は、前記光透過部材は、負の線膨張係数を有する結晶化ガラスであることを特徴とする請求項１記載の反射型液晶表示素子を提供する。
【発明の効果】
【０００９】
本願発明によれば、透明基板上には光透過部材が接着され、前記透明基板及び前記光透過部材のそれぞれの線膨張係数をα、光弾性定数をＢ、厚さをｔとし、Ｋ＝α×Ｂ×ｔであるとき、前記透明基板と前記光透過部材のＫとが等しく、かつ逆極性の関係を有するので、光強度の強い光を用いても、表示むらや輝度の低下を生じない良好な表示品質の投射画像が得られる。
【発明を実施するための最良の形態】
【００１０】
以下、本発明の実施の形態につき、好ましい実施例により、図面を参照して説明する。
図１は、本発明の実施例の反射型液晶表示素子が用いられる液晶プロジェクタを示す概略図である。
図２は、本発明の実施例の反射型液晶表示素子を示す断面図である。
図３は、本発明の実施例の場合の黒表示の照度の時間変化を示す図である。
図４は、比較例の場合の黒表示の照度の時間変化を示す図である。
図５は、比較例の光透過部材表面の温度を示す図である。
【００１１】
図１に示すように、液晶プロジェクタ１は、光源２と、光源２から出射される光を集光する集光レンズ３と、光源２から出射される光を変調する反射型液晶表示素子４と、集光レンズ３で集光された光のうちＳ偏光成分を反射し、光源２から出射された光が反射型液晶表示素子４で変調された後、反射されたＰ偏光成分の反射光を透過する偏光分離膜５Ａを有した偏光ビームスプリッタ５と、偏光ビームスプリッタ５を透過したＰ偏光成分の変調光をスクリーンＳに投射する投射レンズ系６と、反射型液晶表示素子４及び偏光ビームスプリッタ５を空冷する強制空冷ファン装置７とから構成されている。
【００１２】
図２に示すように、反射型液晶表示素子４は、複数の反射画素電極８Ａが形成されたシリコン基板８と、共通電極９Ａが形成された透明基板９と、複数の反射画素電極８Ａと共通電極９Ａとを対向配置させて、シリコン基板８と透明基板９とが所定の間隙を有して貼り合わされ、この所定の間隙に挿入された液晶層１０と、液晶層１０を封入するための封止材１１とからなる。反射画素電極８Ａは、画素毎に配置されている。透明基板９側には、画素毎に反射画素電極８Ａで反射される反射光を着色するためのカラーフィルタ（不図示）が配置されている。
【００１３】
そして、シリコン基板８の表面には、各色光に応じた電気信号の変調を行うと共に液晶層１０を駆動するためのＴＦＴ（Ｔｈｉｎ  Ｆｉｌｍ  Ｔｒａｎｓｉｓｔｏｒ）が形成されている。液晶層１０に用いられる液晶は、ＶＡ型（垂直配向型）である。
シリコン基板８上に形成されている反射画素電極８Ａが形成されている位置が投射レンズ系６の結像面（焦点位置）となっている。
更に、反射型液晶表示素子４の透明基板９上には、光透過部材１２が接着されている。光透過部材１２は、反射型液晶表示素子４のシリコン基板８側に塵埃が付着しても投射画像にこの塵埃が目立って生じないように、塵埃をデフォーカスするためのものである。
【００１４】
光透過部材１２の厚さは、投射レンズ系６の被写界深度と塵埃の平均的な大きさとに基いて決まるが、０．７ｍｍ〜１．２ｍｍである。光透過部材１２としては、ホウ珪酸ガラスが用いられる。
上記した偏光ビームスプリッタ５は、光透過部材１２に近接するように配置され、反射型液晶表示素子４で変調されることなく反射された反射光を吸収する作用を有している。例えば、黒表示の画素では、液晶層１０で変調されることなく反射画素電極８Ａで反射された反射光は、全て偏光ビームスプリッタ５で吸収される。偏光ビームスプリッタ５で吸収された反射光は、熱エネルギーに変化して、反射型液晶表示素子４、光透過部材１２の温度を上昇させる。
【００１５】
強制空冷ファン装置７は、反射型液晶表示素子４の液晶層１０の光学的特性が投射画像に対して悪影響を及ぼさないように、ファンを回転させるためのモータによる電気的或いは機械的なノイズや風切音などの流体的なノイズ等が発生しないようにしたものであり、遠心式送風機や軸流ファン式送風機のいずれでも良い。
【００１６】
一般に、光透過部材１２における内部応力に起因した複屈折δは、光の波長をλ、光透過部材１２の光弾性定数をＢ、光透過部材１２における偏光板吸収軸方向の内部応力をσ１、光透過部材１２における偏光板の偏光軸方向の内部応力をσ２、光透過部材１２の厚さをｔとするとき、以下のように表すことができる。
δ＝（２π／λ）×Ｂ×（σ１−σ２）×ｔ・・・（１）
（１）式より、光透過部材１２の厚さｔを薄くすれば複屈折δを小さくできるが、薄くしすぎると反射型液晶表示素子４の表面に付着する塵埃を投射レンズ系６の被写界深度から外す作用（デフォーカス作用）が不十分なものとなり、投射画像中に塵埃の画像が結像され、投射画像の品質を低下させてしまう。
【００１７】
上記のことを考慮して、本実施例では、光透過部材１２或いは透明基板９の線膨張係数をα、その光弾性定数をＢ、その厚さをｔ、Ｋ＝α×Ｂ×ｔとするとき、透明基板９のＫの値と光透過部材１２のＫの値を等しく、かつ極性が逆であるようにしたものである。
Ｋの値の極性を逆にするためには、透明基板９或いは光透過部材１２のいずれかに負の線膨張係数αを有する結晶化ガラスを用いることが要求される。
具体的には、透明基板９における線膨張係数αが３．２×１０-6／℃、光弾性定数Ｂが３００((ｎｍ／ｃｍ)／(ｋｇ／ｃｍ2))、厚さｔが１．０ｍｍの場合には、光透過部材１２における線膨張係数αが−１．０×１０-6／℃、光弾性定数Ｂが３００((ｎｍ／ｃｍ)／(ｋｇ／ｃｍ2))、厚さｔが２．０ｍｍ〜４．０ｍｍにすると良い。このようにすることにより、温度に依存せずに互いの複屈折を打ち消し合って、トータルの複屈折を０にすることができる。
【００１８】
次に、その動作について説明する。
光源２からＳ偏光成分の光を出射し、このＳ偏光成分の光を集光レンズ３で集光して偏光ビームスプリッタ５の偏光分離膜５Ａで反射した後、カラーフィルタ（不図示）に入射させる。この後、Ｓ偏光成分の光は、カラーフィルタ（不図示）により３原色光に色分離して、光透過部材１２を介して反射型液晶表示素子４に入射する。この反射型液晶表示素子４では、カラーフィルタ（不図示）により色分離されたＳ偏光成分の各色光は、透明基板９を介して各色光に対応する画素に入射する。
【００１９】
更に、Ｓ偏光成分の各色光は、シリコン基板８に形成されているＴＦＴで各色光に対応した変調信号により変調すると共に液晶層１０で光変調を行って、Ｐ偏光成分の光にされた後、反射画素電極８Ａで反射されて透明基板９側から取り出されて、光透過部材１２を透過して出射する。光透過部材１２を透過したＰ偏光成分の光は、偏光ビームスプリッタ５の偏光分離膜５Ａを透過し、投射レンズ系６でスクリーンＳ上に投射される。これによって、スクリーンＳに投射画像が得られる。
【００２０】
ここで、光透過部材１２を反射型液晶表示素子４の透明基板９上に接着させた場合の黒表示の照度（輝度）の時間変化について調べた。
この際、透明基板９としては、線膨張係数αが３．２×１０-6／℃、光弾性定数Ｂが３００((ｎｍ／ｃｍ)／(ｋｇ／ｃｍ2))、厚さが１．０ｍｍのホウ珪酸ガラスを用いた。光透過部材１２としては、線膨張係数αが−１．０×１０-6／℃、光弾性定数Ｂが３００((ｎｍ／ｃｍ)／(ｋｇ／ｃｍ2))、厚さｔが３．２ｍｍの結晶化ガラスを用いた。
【００２１】
その結果を図３に示す。
図３中、◎は、投射画像の中央部の黒表示の照度を示し、△は、投射画像の周辺部の黒表示の照度を示す。
図３に示すように、黒表示の照度は、時間経過に対して、投射画像の中央部及び周辺部共に一定であることがわかる。このことは、反射型液晶表示素子４に塵埃が付着したとしても投射画像には影響を与えず、良好な表示品質が得られていることを示している。
【００２２】
次に、比較例として、光透過部材１２の代りに、線膨張係数αが３．２×１０-6／℃、光弾性定数Ｂが３００((ｎｍ／ｃｍ)／(ｋｇ／ｃｍ2))、厚さが３．２ｍｍのホウ珪酸ガラスを用いて、上記と同様に、黒表示の照度（輝度）の時間変化について調べた。
【００２３】
その結果を図４に示す。
図４に示すように、黒表示の照度は、投射画面の中央部で大幅に変化し、その周辺部で数％〜１０％程度の変化があった。
この際、ホウ珪酸ガラスの表面の温度を調べた結果、図５に示すように、ホウ珪酸ガラスの表面の温度は、その中央部と周辺部で時間経過に対して１０％程度の温度上昇を生じていた。
このことは、反射型液晶表示素子４に熱応力に複屈折が発生して投射画像には影響を与え、表示品質が悪くなっていることを示している。
【００２４】
以上のように、本発明は、反射型液晶表示素子４の透明基板９と光透過部材１２のそれぞれの線膨張係数α、光弾性定数Ｂ、厚さｔとし、Ｋ＝線膨張係数α×光弾性定数Ｂ×厚さｔとするとき、反射型液晶表示素子４と透明基板９のＫの値を等しく、かつ極性が逆であるようにしたので、複屈折を打ち消し合うことができるため、投射画像の輝度、コントラストの低下、表示むら或いは時間経過に伴う輝度変化を防止でき、良好な品質の投射画像を得ることができる。
なお、透明基板９及び光透過部材１２のうちの少なくとも一方は、位相補償機能又は反射防止機能が形成されるようにしても良い。
【図面の簡単な説明】
【００２５】
【図１】本発明の実施例の反射型液晶表示素子が用いられる液晶プロジェクタを示す概略図である。
【図２】本発明の実施例の反射型液晶表示素子を示す断面図である。
【図３】本発明の実施例の場合の黒表示の照度の時間変化を示す図である。
【図４】比較例の場合の黒表示の照度の時間変化を示す図である。
【図５】比較例の光透過部材表面の温度を示す図である。
【符号の説明】
【００２６】
１…液晶プロジェクタ、２…光源、３…集光レンズ、４…反射型液晶表示素子、５…偏光ビームスプリッタ、５Ａ…偏光分離膜、６…投射レンズ系、７…強制冷却ファン装置、８…シリコン基板、８Ａ…反射画素電極、９…透明基板、９Ａ…共通電極、１０…液晶層、１１…封止材、１２…光透過部材
【図１】
2007293079.tif 000003
【図２】
2007293079.tif 000004
【図３】
2007293079.tif 000005
【図４】
2007293079.tif 000006
【図５】
2007293079.tif 000007